(57)【要約】【課題】経路の案内の方向をユーザが容易に認識できる携帯端末装置を提供することを目的とする。【解決手段】携帯電話機１は、現在地を検出するＧＰＳモジュール１０９と、光が移動するよう発光可能なイルミネーション部４０と、ＣＰＵ１００とを有する。ＣＰＵ１００は、目的地の設定を受け付けるとともに、現在地から目的地への経路を設定する。さらに、ＣＰＵ１００は、現在地における経路の案内方向へ光が移動するようイルミネーション部４０を制御する。【選択図】図１０
2013040812.tif 000002
【特許請求の範囲】
【請求項１】
現在地を検出する位置検出部と、
目的地の設定を受け付ける受付部と、
前記現在地から前記目的地への経路を設定する設定部と、
光が移動するよう発光可能なイルミネーション部と、
前記現在地における前記経路の案内方向へ光が移動するよう前記イルミネーション部を制御する照明制御部と、を有する
ことを特徴とする携帯端末装置。
【請求項２】
請求項１に記載の携帯端末装置において、
前記イルミネーション部は、個別に発光する複数の発光部を有し、
前記照明制御部は、前記案内方向へ光が移動するよう、所定の発光部から別の発光部へと発光を遷移させる制御を行う、
ことを特徴とする携帯端末装置。
【請求項３】
請求項１または２に記載の携帯端末装置において、
表示面と、
前記表示面に画像を表示させる表示制御部と、をさらに備え、
前記表示制御部は、前記現在地と前記経路とを示す画像を含む地図画像を、前記表示面に表示させる制御を行うとともに、
前記照明制御部は、前記表示面に前記地図画像が表示されていないときにも、前記案内方向へ光が移動するよう前記イルミネーション部を発光させる制御を行う、
ことを特徴とする携帯端末装置。
【請求項４】
請求項１ないし３の何れか一項に記載の携帯端末装置において、
方位を検出する方位検出部をさらに備え、
前記照明制御部は、前記方位検出部からの出力と前記経路とに基づいて前記案内方向を設定する制御を行う、
ことを特徴とする携帯端末装置。
【請求項５】
請求項１ないし４の何れか一項に記載の携帯端末装置において、
前記照明制御部は、前記現在地が、進路変更の地点へ接近したときに、前記案内方向へ光が移動するよう前記イルミネーション部を発光させる制御と、前記現在地が前記進路変更の地点を通過した場合、前記案内方向へ光が移動する前記イルミネーション部の発光を停止させる制御を行う、
ことを特徴とする携帯端末装置。
【請求項６】
請求項１ないし５の何れか一項に記載の携帯端末装置において、
前記照明制御部は、前記現在地から前記目的地までの距離に応じて、移動する前記光の状態を変化させる制御を行う、
ことを特徴とする携帯端末装置。
【請求項７】
請求項６に記載の携帯端末装置において、
前記照明制御部は、前記現在地が前記目的地へ接近するに応じて、前記光が移動する速さを速くするよう前記イルミネーション部を制御する、
ことを特徴とする携帯端末装置。
【請求項８】
現在地を検出する位置検出部と、
光が移動するよう発光可能なイルミネーション部と、を備える携帯端末装置のコンピュ
ータに、
目的地の設定を受け付ける機能と、
前記現在地から前記目的地への経路を設定する機能と、
前記現在地における前記経路の案内方向へ光が移動するよう前記イルミネーション部を発光させる機能と、
を付与することを特徴とするプログラム。
【請求項９】
現在地を検出する位置検出部と、
光が移動するよう発光可能なイルミネーション部と、を備える携帯端末装置の照明制御方法において、
目的地の設定を受け付けるステップと、
前記現在地から前記目的地への経路を設定するステップと、
前記現在地における前記経路の案内方向へ光が移動するよう前記イルミネーション部を発光させるステップと、
を含むことを特徴とする照明制御方法。
【発明の詳細な説明】
【技術分野】
【０００１】
本発明は、携帯電話機やＰＤＡ（Personal Digital Assistant）、タブレットＰＣ（TabletPC）等の携帯端末装置および当該携帯端末装置に用いて好適なプログラムおよび照明制御方法に関する。
【背景技術】
【０００２】
従来、目的地への経路および現在地を地図とともに表示可能な携帯端末装置が知られている。かかる携帯端末装置では、経路に応じた案内の方向を視覚的に通知するための方法が提案されている。たとえば、案内の方向に対応した所定のキーが点灯する構成が提案されている（特許文献１参照）。この構成では、基準とされるキーから点灯したキーへと向く方向が、案内の方向とされる。
【先行技術文献】
【特許文献】
【０００３】
【特許文献１】特開２００５−１３６９５５号公報
【発明の概要】
【発明が解決しようとする課題】
【０００４】
上記の特許文献１の構成によれば、ユーザは、何れのキーが点灯したかにより、案内の方向を認識できる。
【０００５】
しかしながら、このような構成では、案内の方向の認識のために、ユーザは、基準のキーに対する点灯したキーの位置を確実に視認する必要がある。このため、ユーザは、一目して案内の方向を知ることが困難である。
【０００６】
本発明は、かかる課題に鑑みてなされたものであり、経路の案内の方向をユーザが容易に認識できることを目的とする。
【課題を解決するための手段】
【０００７】
本発明の第１の態様に係る携帯端末装置は、現在地を検出する位置検出部と、目的地の設定を受け付ける受付部と、前記現在地から前記目的地への経路を設定する設定部と、光が移動するよう発光可能なイルミネーション部と、前記現在地における前記経路の案内方向へ光が移動するよう前記イルミネーション部を制御する照明制御部と、を有する。
【０００８】
本発明に係る携帯端末装置において、前記イルミネーション部は、個別に発光する複数の発光部を有し得る。この場合、前記照明制御部は、前記案内方向へ光が移動するよう、所定の発光部から別の発光部へと発光を遷移させる制御を行う。
【０００９】
本発明に係る携帯端末装置は、表示面と、前記表示面に画像を表示させる表示制御部と、をさらに備え得る。この場合、前記表示制御部は、前記現在地と前記経路とを示す画像を含む地図画像を、前記表示面に表示させる制御を行とともに、前記照明制御部は、前記表示面に前記地図画像が表示されていないときにも、前記案内方向へ光が移動するよう前記イルミネーション部を発光させる制御を行い得る。
【００１０】
本発明に係る携帯端末装置は、方位を検出する方位検出部をさらに備え得る。この場合、前記照明制御部は、前記方位検出部からの出力と前記経路とに基づいて前記案内方向を設定する制御を行う。
【００１１】
本発明に係る携帯端末装置において、前記照明制御部は、前記現在地が、進路変更の地点へ接近したときに、前記案内方向へ光が移動するよう前記イルミネーション部を発光させる制御と、前記現在地が前記進路変更の地点を通過した場合、前記案内方向へ光が移動する前記イルミネーション部の発光を停止させる制御を行い得る。
【００１２】
本発明に係る携帯端末装置において、前記照明制御部は、前記現在地から前記目的地までの距離に応じて、移動する前記光の状態を変化させる制御を行い得る。
【００１３】
本発明に係る携帯端末装置において、前記照明制御部は、前記現在地が前記目的地へ接近するに応じて、前記光が移動する速さを速くするよう前記イルミネーション部を制御し得る。
【００１４】
本発明の第２の態様は、プログラムに関する。本態様に係るプログラムは、現在地を検出する位置検出部と、光が移動するよう発光可能なイルミネーション部と、を備える携帯端末装置のコンピュータに、目的地の設定を受け付ける機能と、前記現在地から前記目的地への経路を設定する機能と、前記現在地における前記経路の案内方向へ光が移動するよう前記イルミネーション部を発光させる機能と、を付与する。
【００１５】
本発明の第３の態様は、現在地を検出する位置検出部と、光が移動するよう発光可能なイルミネーション部と、を備える携帯端末装置の照明制御方法に関する。本態様に係る表示制御方法は、目的地の設定を受け付けるステップと、前記現在地から前記目的地への経路を設定するステップと、前記現在地における前記経路の案内方向へ光が移動するよう前記イルミネーション部を発光させるステップと、を含む。
【発明の効果】
【００１６】
本発明によれば、経路の案内の方向をユーザが容易に認識できる携帯端末装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る、携帯電話機の外観構成を示す図である。
【図２】実施の形態に係る、携帯電話機の第１キャビネットの正面図である。
【図３】実施の形態に係る携帯電話機の全体構成を示すブロック図である。
【図４】実施の形態に係る、イルミネーションパターンテーブルを説明する図である。
【図５】実施の形態に係る、光が右へ移動するイルミネーションを説明する図とグラフである。
【図６】実施の形態に係る、光が上へ移動するイルミネーションを説明する図とグラフである。
【図７】実施の形態に係る、光が左および下へ移動するイルミネーションを説明する図である。
【図８】実施の形態に係る、現在位置から目的地までの経路の案内のための処理を説明するためのフローチャートである。
【図９】実施の形態に係る、現在位置から目的地までの経路の案内のための処理を説明するためのフローチャートである。
【図１０】実施の形態に係る、画面の表示内容とイルミネーションを説明するための図である。
【図１１】実施の形態に係る、画面の表示内容とイルミネーションを説明するための図である。
【図１２】変更例１に係る、現在位置から目的地までの経路の案内のための処理を説明するためのフローチャートである。
【図１３】変更例１に係る、別のアプリケーションが起動される前と後における画面の表示内容を説明するための図である。
【図１４】変更例１に係る、画面の表示内容、現在の位置およびイルミネーションを説明するための図である。
【図１５】変更例２に係る、現在位置から目的地までの経路の案内のための処理を説明するためのフローチャートである。
【図１６】変更例２に係る、現在の位置およびイルミネーションを説明するための図である。
【図１７】変更例３に係る、現在位置から目的地までの経路の案内のための処理を説明するためのフローチャートである。
【図１８】変更例３に係る、現在位置から目的地までの経路の案内のための処理を説明するためのフローチャートである。
【図１９】変更例３に係る、画面の表示内容とイルミネーションを説明するための図である。
【図２０】その他の変更例に係る、携帯電話機の構成、画面の表示内容およびイルミネーションを説明するための図である。
【図２１】その他の変更例に係る、イルミネーションの画像を含む画面の表示内容を説明するための図である。
【発明を実施するための形態】
【００１９】
以下、本発明の実施の形態について、図面を参照して説明する。図１（ａ）は、第１キャビネット１０と第２キャビネット２０が並べられ、開いた状態の携帯電話機１の外観構成を示す。図１（ｂ）は、第１キャビネット１０と第２キャビネット２０が重ねられ、閉じた状態の携帯電話機１の外観構成を示す。
【００２０】
携帯電話機１は、第１キャビネット１０と第２キャビネット２０を有する。第２キャビネット２０は、ヒンジ部３０によって、第１キャビネット１０に対し回転可能に連結されている。
【００２１】
第１キャビネット１０の正面には、キー操作部１１およびマイク１２が設けられている。
【００２２】
第２キャビネット２０の正面には、ディスプレイ２１を構成する液晶パネル２１ａ、およびスピーカ２２が配置されている。液晶パネル２１ａの正面には表示面２１ｂが設けられており、表示面２１ｂが外部に現れている。
【００２３】
液晶パネル２１ａの背後には、ディスプレイ２１を構成するパネルバックライト」と言う。）２１ｃが配されている。パネルバックライト２１ｃは、光源となるＬＥＤを備え、液晶パネル２１ａに光を供給する。
【００２４】
ヒンジ部３０は、一対の回転軸３１および一対の軸受部３２を含む。回転軸３１は、第２キャビネット２０の連結側端部から左右に延びる。軸受部３２は、第１キャビネット１０の連結側端部に形成され、回転軸３１を受ける。
【００２５】
キー操作部１１は、テンキー、方向キー、通話キー、終話キー、決定キー、所定のアプ
リケーションを起動するためのキー等、複数のキーを備える。
【００２６】
図２は、第１キャビネット１０の正面図である。第１キャビネット１０の正面は、主に上述のキー操作部１１と、それ以外のプレート部１２とから成る。プレート部１２の背後には、イルミネーション部４０が配されている。イルミネーション部４０は、所定のイルミネーションパターン（後述）に従ってイルミネーションを表示する。これにより、メールの着信、通話着信、経路の案内における進路方向通知等が、ユーザへ視覚的に通知される。
【００２７】
イルミネーション部４０は、複数（１４個）の光源４０ａ〜４０ｎを備える。光源４０ａ〜４０ｎは、第１キャビネット１０の前面に分散して配されている。
【００２８】
光源４０ａ〜４０ｎは、それぞれ、３原色を発光するＬＥＤが組み合わされた構成が採られており、３色の光が合成されることにより、各種の明るさと各種の色を有する光を発光する。光源４０ａ〜４０ｂが発光することにより、イルミネーション部４０が、所定のイルミネーションパターンに従ったイルミネーションを表示する。なお、光源は、有機ＥＬ等、他の発光部材から構成されたものであり得る。
【００２９】
なお、光源４０ａ〜４０ｎが配されている位置は、便宜上、円によって図示されているが、上述の如くプレート部１２の背後に配されているため、光源４０ａ〜４０ｎは外部から視認できない。光源４０ａ〜４０ｎが発光した場合、出射した光は、プレート部１２を透過し、外部から視認可能となる。
【００３０】
図２に示す如く、４つの光源４０ａ〜４０ｄは、キー操作部１１の左側に、上から順に縦（Ｙ軸方向）に略等間隔で整列して配されている（垂直補助線Ｇ１参照）。キー操作部１１のテンキーが縦３列に配されており、左から第１列目と第２列目のテンキーの間に、３つの光源４０ｅ〜４０ｇが、上記４つの光源４０ａ〜４０ｄの略中間の高さの位置に、上から順に縦に整列して配されている（垂直補助線Ｇ２参照）。左から第２列目と第３列目のテンキーの間に、３つの光源４０ｈ〜４０ｊが、上記３つの光源４０ｅ〜４０ｇと同じ高さの位置に、上から順に縦に整列して配されている（垂直補助線Ｇ３参照）。４つの光源４０ｋ〜４０ｎは、キー操作部１１の右側に、上から順に縦に略等間隔で整列して配されている（垂直補助線Ｇ４参照）。
【００３１】
図３は、携帯電話機１の全体構成を示すブロック図である。
【００３２】
携帯電話機１は、上述した各構成要素の他、ＣＰＵ１００、メモリ１０１、通信モジュール１０２、キー入力回路１０３、音声エンコーダ１０４、バックライト駆動回路１０５、映像デコーダ１０６、音声デコーダ１０７、光源制御回路１０８、ＧＰＳモジュール１０９、方位センサ１１０を備える。
【００３３】
通信モジュール１０２は、ＣＰＵ１００からの通話のための信号、アプリケーションの実行に係るデータ等を無線信号に変換し、第１キャビネット１０に内蔵されるアンテナ（図示せず）を介して基地局へ送信する。また、通信モジュール１０２は、アンテナを介して基地局から受信した無線信号を、通話のための信号、アプリケーションの実行に係るデータ等に変換して、ＣＰＵ１００へ出力する。これにより、通話のための信号、アプリケーションの実行に係るデータ等が通信対象の機器から基地局を介して送受信される。
【００３４】
キー入力回路１０３は、キー操作部１１の各キーが操作されたときに、各キーに応じた入力信号をＣＰＵ１００へ出力する。
【００３５】
音声エンコーダ１０４は、マイク１２が集音した音声に基づいて生成されるアナログの音声信号を入力する。また、音声エンコーダ１０４は、入力したアナログの音声信号をデジタルの音声信号に変換するとともに、デジタルの音声信号にエンコード処理を施してＣＰＵ１００へ出力する。
【００３６】
バックライト駆動回路１０５は、ＣＰＵ１００からの制御信号に応じて、パネルバックライト２１ｃに電圧信号を供給する。パネルバックライト２１ｃは、バックライト駆動回路１０５からの電圧信号により点灯したり消灯したりする。
【００３７】
映像デコーダ１０６は、ＣＰＵ１００からの映像信号を、液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００３８】
音声デコーダ１０７は、ＣＰＵ１００からの音声信号、および着信音やアラーム音等の各種報知音の音信号にデコード処理を施し、さらにアナログの音声信号および音信号に変換してスピーカ２２に出力する。スピーカ２２は、音声デコーダ１０７からの音声信号や音信号に基づいて音声や報知音などを再生する。
【００３９】
光源制御回路１０８は、ＣＰＵ１００からの光源制御信号に基づき、所定の色と明るさの光を各光源４０ａ〜４０ｎが発光するよう、イルミネーション部４０に電力を供給して、イルミネーション部４０を制御する。
【００４０】
ＧＰＳモジュール１０９は、ＧＰＳ衛星から受信する信号などに基づき、現在の携帯電話機１の位置を求め、位置に応じた信号をＣＰＵ１００へ出力する。ＣＰＵ１００は、ＧＰＳモジュールから位置に応じた信号に基づき、現在位置の情報を取得する。なお、現在位置は、基地局の位置情報を補助情報として用いることなどによって、適宜補正されてもよい。
【００４１】
方位センサ１１０は、地磁気の方向を検出する磁気センサを備える。方位センサ１１０は、磁気センサが検出した地磁気の方向に基づき、現在の方位、すなわち、北を基準とし、北方向と携帯電話機１が向く方向とがなす角度を検出する。本実施の形態では、携帯電話機１の上側が向く方向（Ｙ軸方向）を、携帯電話機１が向く方向としている。方位センサ１１０は、現在の方位に対応した方位信号をＣＰＵ１００へ出力する。なお、方位センサは、加速度センサやジャイロセンサが組み合わされて用いられた構成が採られてもよい。
【００４２】
加速度センサ１１１は、携帯電話機１に印加される加速度を検出する。加速度センサ１１１は３軸加速度センサであり、図１のＸ軸方向、Ｙ軸方向およびＺ軸方向の３方向に生じる加速度を検出する。加速度センサ１１１は、検出した加速度に応じた加速度信号をＣＰＵ１００へ出力する。ＣＰＵ１００は、加速度センサ１１１からの加速度信号に基づき、携帯電話機１が、横向きおよび縦向きの何れの方向を向いているかを検出する。
【００４３】
メモリ１０１は、ＲＯＭおよびＲＡＭを含む記憶部である。メモリ１０１には、ＣＰＵ１００に制御機能を付与するための制御プログラムや各種アプリケーション、イルミネーション部４０に表示させるイルミネーションのイルミネーションパターンのデータ等が記憶されている。
【００４４】
ＣＰＵ１００は、実行中の機能に基づき所定のイルミネーションパターンをメモリ１０１から取得し、取得したイルミネーションパターンに従ってイルミネーション部４０の各光源４０ａ〜４０ｎが発光するように光源制御回路１０８へ光源制御信号を出力する。
【００４５】
たとえば、図４〜図７（ｂ）を用いて以下に説明するように、イルミネーション部４０は、光が上下左右の方向へ流れるイルミネーションを表示する。ここで、光がある方向へ流れるとは、イルミネーションが変化することにより、光がその方向へ移動して見えることである。具体的には、ＣＰＵ１００による制御に基づき、ある光源（４０ａ〜４０ｎ）の発光状態が所定のパターンで遷移し、これに遅れて、当該発光部に対してその方向に配された別の発光部の発光状態が、上記パターンと同様なパターンで遷移することにより、光がある方向へ流れるイルミネーションが表示される。
【００４６】
図４は、メモリ１０１に記憶される複数のイルミネーションパターンを例示する表である。イルミネーションパターン１〜４は、それぞれ、所定の色（たとえば青色）の光が右、上、左および下へ流れるパターンである。図５、図６、図７（ａ）、（ｂ）は、上記４つのイルミネーションパターンに従ったイルミネーションを説明する図である。
【００４７】
図５（ａ）は、図４のイルミネーションパターン１に従った、光が右へ流れるイルミネーションの様子を説明するための図である。図５（ｂ）は、イルミネーションパターン１に基づいて光源４０ａ〜４０ｎが発光するときの光の明るさの変化の様子を模式的に説明するグラフである。
【００４８】
なお、図５（ａ）では、各光源４０ａ〜４０ｎの中心から放射上に延びる線が、図５（ｂ）の時間Ｔ２における光源４０ａ〜４０ｎから出射する光の明るさを表現するため、補助的に示されている。また、図５（ａ）では、矢印が、光が流れる方向を説明するため、補助的に示されている。イルミネーションパターンを説明する他の図においても同様である。
【００４９】
イルミネーション部４０がイルミネーションパターン１に従ったイルミネーション表示を行う際には、まず、光源４０ａ〜４０ｄのうち垂直補助線Ｇ１上に配されている光源（４０ａ〜４０ｄ）が発光する。光源４０ａ〜４０ｄは、図５（ｂ）の一番上のグラフに示す如く、一定の周期Ｔ０（たとえば数百ミリ秒〜数秒）で明るさの変更を繰り返す。
【００５０】
その後、所定時間Ｔ１（Ｔ１は、たとえばＴ０の数分の１）遅れて、垂直補助線Ｇ２上に配されている光源（４０ｅ〜４０ｇ）が発光し、次に、時間２×Ｔ１遅れて、垂直補助線Ｇ３上に配されている光源（４０ｈ〜４０ｊ）が発光し、最後に、時間３×Ｔ１遅れて、垂直補助線Ｇ４上に配されている光源（４０ｋ〜４０ｎ）が発光する。
【００５１】
各光源４０ｅ〜４０ｇ、４０ｈ〜４０ｊおよび４０ｋ〜４０ｎは、上記位相遅れ（Ｔ１、２×Ｔ１、３×Ｔ１）を保ったまま、光源４０ａ〜４０ｄと同じ周期で明るさの変更を繰り返す。
【００５２】
このようにイルミネーションパターン１に従って各光源４０ａ〜４０ｎの明るさが変化することによって、図５（ｂ）の右下方向に延びる破線矢印で示すように、明るい部分（グラフの上に凸の部分）と暗い部分（グラフの下に凸の部分）が、時間経過とともにＧ１からＧ２、Ｇ３そしてＧ４へ移動する。このように各光源４０ａ〜４０ｎが発光することにより、全体として光が右（図５（ａ）の矢印参照）へ移動するよう見える。
【００５３】
図５（ａ）では、一番右側に配された光源４０ｋ〜４０ｎから発せられる光の明るさが最大になった瞬間の時間Ｔ２での、イルミネーションの状態が例示されている。この瞬間では、光源４０ａ〜４０ｎのうち右側に配されている光源ほど、明るい光を発している。この後、イルミネーション部４０は、イルミネーションパターン１に従い、光源４０ａ〜４０ｎが発する光の明るい部分と暗い部分とが右方向へ流れるようなイルミネーションを
表示する。
【００５４】
図６（ａ）は、図４のイルミネーションパターン２に従った、光が上へ流れるイルミネーションの様子を説明するための図である。図６（ｂ）は、イルミネーションパターン２に従って光源４０ａ〜４０ｎが発光するときの光の明るさの変化の様子を模式的に説明するグラフである。
【００５５】
イルミネーション部４０がイルミネーションパターン２に従ったイルミネーション表示を行う際には、まず、光源４０ａ〜４０ｄのうち水平補助線Ｈ７上に配されている光源（４０ｄ、４０ｎ）が発光する。光源４０ｄ、４０ｎは、図６（ｂ）の一番下のグラフに示す如く、一定の周期Ｔ０で明るさの変更を繰り返す。
【００５６】
その後、所定時間Ｔ３（Ｔ１は、たとえばＴ０の数分の１）遅れて、水平補助線Ｈ６上に配されている光源（４０ｇ、４０ｊ）が発光し、次に、時間２×Ｔ３遅れて、水平補助線Ｈ５上に配されている光源（４０ｃ、４０ｍ）が発光し、さらに、時間３×Ｔ３遅れて、水平補助線Ｈ４上に配されている光源（４０ｆ、４０ｉ）が発光する。その後さらに、時間４×Ｔ３遅れて、水平補助線Ｈ３上に配されている光源（４０ｂ、４０ｌ）が発光し、次に、時間５×Ｔ３遅れて、水平補助線Ｈ２上に配されている光源（４０ｅ、４０ｈ）が発光し、最後に、時間６×Ｔ３遅れて、水平補助線Ｈ１上に配されている光源（４０ａ、４０ｋ）が発光する。
【００５７】
水平補助線Ｈ６、Ｈ５、・・・、Ｈ１上に配された光源は、上記位相遅れ（Ｔ３、２×Ｔ３、・・・６×Ｔ３）を保ったまま、光源４０ｄ〜４０ｎと同じ周期で明るさの変更を繰り返す。
【００５８】
このようにイルミネーションパターン２に従って各光源４０ａ〜４０ｎの明るさが変化することによって、図６（ｂ）の右上方向に延びる破線矢印で示すように、明るい部分（グラフの上に凸の部分）と暗い部分（グラフの下に凸の部分）が、時間経過とともにＨ７からＨ１へ移動する。つまり、イルミネーション部４０は、光が上（図５（ａ）の矢印参照）へ流れるイルミネーションを表示する。
【００５９】
図６（ａ）では、一番上側に配された光源４０ａ、４０ｋから発せられる光の明るさが最大になった瞬間の時間Ｔ４での、イルミネーションの状態が例示されている。この瞬間では、光源４０ａ〜４０ｎのうち上側に配されている光源ほど、明るい光を発している。この後、イルミネーション部４０は、イルミネーションパターン２に従い、光源４０ａ〜４０ｎが発する光の明るい部分と暗い部分とが上方向へ継続して流れるようなイルミネーションを表示する。
【００６０】
図７（ａ）は、図４のイルミネーションパターン３に従った、光が左へ流れるイルミネーションの様子を説明する図である。イルミネーションパターン３は、光が流れる方向が逆となる点を除いて、イルミネーションパターン１（光が右に流れる）に同様である。
【００６１】
図７（ｂ）は、図４のイルミネーションパターン４に従った、光が下へ流れるイルミネーションの様子を説明する図である。イルミネーションパターン３は、光が流れる方向が逆となる点を除いて、イルミネーションパターン２（光が上に流れる）に同様である。
【００６２】
さて、本実施の形態に係る携帯電話機１は、現在位置から目的地までの経路を視覚的に通知する機能を備える。ユーザは、通知される経路に沿って進行することにより、徒歩や自動車などの移動手段によって、目的地へ到達できる。
【００６３】
図８と図９は、本実施の形態に係る、現在位置から目的地までの経路の案内のための処理を説明するためのフローチャートである。図８は、経路の案内に係る画面表示のための処理を示す。図９は、経路の案内に係る、案内方向を視覚的に通知するための方向通知処理を示す。
【００６４】
ＣＰＵ１００は、経路の案内のための処理を実行するに際し、まず、ユーザによる目的地の入力操作を受け付け、入力された地点を目的地として設定する。目的地の入力は、たとえば、住所の入力、地図上における位置を指定する入力などにより行われる。さらに、ＣＰＵ１００は、ＧＰＳモジュール１０９からの信号に基づき、現在位置を取得する。
【００６５】
そして、ＣＰＵ１００は、基地局を介した通信網によってサーバシステム（図示せず）に接続し、現在位置から目的地へ到達するための経路に係るデータおよび現在位置の周辺の地図画像のデータを取得するための要求信号をサーバシステムへ送信する。
【００６６】
上記サーバシステムは、上記要求信号に基づき、現在位置から目的地へ到達できる経路に係るデータと、現在位置の周辺の地図画像のデータを含む信号を、携帯電話機１へ送信する。ＣＰＵ１００は、サーバシステムから受信した経路に係るデータに基づき、図８と図９の処理で用いる現在位置から目的地への経路を設定するとともに、サーバシステムから受信した地図画像のデータを、メモリ１０１に記憶させる。
【００６７】
かかる後に、ＣＰＵ１００によって図８の処理が実行される。
【００６８】
図１０（ａ）、（ｂ）は、経路の案内のための処理が実行されている際における、表示面２１ｂに表示される画面とイルミネーション部４０によるイルミネーションの状態を説明する図である。
【００６９】
なお、携帯電話機１の周囲に示される方位記号は、携帯電話機１に対する方位を表す（以下同様）。図１０（ａ）、（ｂ）において、携帯電話機１の周囲に示された方位記号は、携帯電話機１の上側が北を指していることを表す。
【００７０】
図８のフローチャートを参照して、ＣＰＵ１００は、現在位置を検出する（Ｓ１０１）。次に、ＣＰＵ１００は、図１０（ａ）に示す如く、現在位置の周辺の地図画像５１を表示面２１ｂに表示する（Ｓ１０２）。地図画像５１は、現在位置から目的地へ至る経路画像５２と、現在位置を指すポインタ５３と、方位記号５４とを含む。
【００７１】
次に、ＣＰＵ１００は、現在位置が、次の案内地点へ接近したか否かを判定する（Ｓ１０３）。ここで、「案内地点」は、案内方向を通知する必要がある所定の地点である。本実施の形態では、現在位置が経路に沿って目的地へ移動する場合に、交差点等の進路変更する必要がある地点が、案内地点として設定される。「次の案内地点」は、経路に沿って目的地へ移動する場合に現在位置から最初に通過する案内地点を指す。ＣＰＵ１００は、現在位置と次の案内地点との距離が、所定閾値Ｄ１（たとえば、数メートル〜数十メートル）未満である場合に接近したと判定し（Ｓ１０３：ＹＥＳ）、当該距離が閾値Ｄ１以上である場合に接近していないと判定する（Ｓ１０３：ＮＯ）。なお、経路の案内地点は、ＣＰＵ１００が、経路に係るデータから抽出して設定する。
【００７２】
図１０（ａ）では、経路は、現在位置から北方の交差点において右折する。図１０（ａ）、（ｂ）では、参照のため、ポインタ５３を囲む一点鎖線の円周が、現在位置を中心とする半径Ｄ１の領域を表す。
【００７３】
図１０（ａ）のように、現在位置がまだ次の案内地点に到達せず（Ｓ１０３：ＮＯ）、
且つ、目的地へ到達していない場合（Ｓ１０４：ＮＯ）、ステップＳ１０１〜Ｓ１０４の処理が繰り返し実行される。この際、ＣＰＵ１００は、検出される現在位置に基づいて、表示面２１ｂに表示する地図画像５１、経路画像５２およびポインタ５３を更新して表示する（Ｓ１０２）。これにより、ユーザが経路に沿って移動すると、ポインタ５３が経路画像５２上を移動する。
【００７４】
なお、現在位置が移動したために表示すべき地図画像のデータをメモリ１０１が記憶していない場合、ＣＰＵ１００は、適宜、現在位置の周辺の地図画像のデータを、サーバシステムから取得し、取得したデータに基づき、表示すべき地図画像５１を表示面２１ｂに表示する。
【００７５】
図１０（ｂ）のように、現在位置が次の案内地点へ接近した場合（Ｓ１０３：ＹＥＳ）、ＣＰＵ１００は、図８の処理に並行して図９の方向通知処理を開始し（Ｓ１０５）、続けてステップＳ１０６、Ｓ１０７の処理を実行する。
【００７６】
ステップＳ１０６、Ｓ１０７の処理は、ステップＳ１０１、Ｓ１０２と同じである。現在位置が次の案内地点を通過しない間（Ｓ１０８：ＮＯ）、ステップＳ１０６、Ｓ１０７の処理が繰り返し実行される。
【００７７】
図９の方向通知処理について、以下に説明する。
【００７８】
図９のフローチャートを参照して、ＣＰＵ１００は、まず、現在の方位を検出する（Ｓ１１１）。なお、現在の方位（Ｒ０とする）と次の案内地点での進行方向（Ｒ１とする）は、北方向を基準（０度）にして時計回りの角度によって表される。
【００７９】
次に、ステップＳ１１２において、ＣＰＵ１００は、現在の方位と次の案内地点での進行方向に基づいて、案内方向（上、下、右または左）を設定する。
【００８０】
「案内方向」とは、現在の携帯電話機１が向く方向を基準にした、次の案内地点での相対的な進行方向Ｒ２（＝Ｒ１−Ｒ０  ｍｏｄ  ３６０度）である。実際には、本実施の形態では、携帯電話機１を基準にして、この相対的な方向が「上」、「下」、「右」、「左」の４方向へ縮約されたものが、案内方向として設定される。
【００８１】
具体的には、上記進行方向Ｒ２が−４５度〜４４度である場合には、案内方向は上であると設定される。上記進行方向Ｒ２が４５度〜１３４度である場合には、案内方向は右である設定とされる。上記進行方向Ｒ２が１３５度〜２２４度である場合には、案内方向は下である設定とされる。上記進行方向Ｒ２が２２５度〜３１４度である場合には、案内方向は左であると設定される。これらの設定処理は、ＣＰＵ１００によりなされる。
【００８２】
図１０（ｂ）の場合、現在の方位Ｒ０は０度、次の案内地点５５の進行方向は約６０度（東から３０度北へ傾いた方向）であるため、ステップＳ１１２において、案内方向は右と設定される。
【００８３】
かかる後、ＣＰＵ１００は、設定された案内方向に対応するイルミネーションパターンをメモリ１０１から読み込む。すなわち、案内方向「上」、「下」、「右」、「左」に対応して、イルミネーションパターン１〜４がそれぞれ取得される。図１０（ｂ）の場合は、右方向へ流れるイルミネーションパターン１が取得される。
【００８４】
さらに、ＣＰＵ１００は、取得したイルミネーションパターンに従って、イルミネーション部４０がイルミネーション表示を行うよう制御を行う（Ｓ１１４）。これによって、
図１０（ｂ）に示す如く、案内方向（右）へ流れるイルミネーションが表示される。イルミネーションは、目的地への経路が、光が流れる方向（右）へ変更されていることを表す。
【００８５】
以後、イルミネーションが消灯される（Ｓ１０９）または表示されているイルミネーションに係るイルミネーションパターンが変更（Ｓ１１８：ＹＥＳ→Ｓ１１３）されるまで、現在のイルミネーションパターンに基づくイルミネーションが、イルミネーション部４０により表示されることとなる。
【００８６】
後段のステップＳ１１５の処理は、ステップＳ１１１の処理に同じであり、ステップＳ１１７の処理は、ステップＳ１１２の処理に同じである。
【００８７】
ステップＳ１１４の処理の後、あらためて検出した現在の方位（Ｓ１１５）が変化しない場合（Ｓ１１６：ＮＯ）、ステップＳ１１５、Ｓ１１６の処理が繰り返される。現在の方位が変化した場合（Ｓ１１６：ＹＥＳ）、ステップＳ１１７の処理へ進む。検出した現在の方位が変化した場合（Ｓ１１６：ＹＥＳ）、ＣＰＵ１００は、案内方向を設定する（Ｓ１１７）。この新たな案内方向が、それまでの案内方向に比較して変化しない場合（Ｓ１１８：ＮＯ）、ステップＳ１１５の処理へ戻る。すなわち、案内方向が変化しない間、ステップＳ１１５〜Ｓ１１６またはステップＳ１１５〜Ｓ１１８の処理が繰り返し実行される。この間、ステップＳ１１４の処理に基づくイルミネーションが、イルミネーション部４０により継続して表示される。
【００８８】
案内方向が変化した場合（Ｓ１１８：ＹＥＳ）、ステップＳ１１３の処理へ進み、新たな案内方向に基づくイルミネーションパターンが取得され、さらに、このイルミネーションパターンに基づく、光が新たな案内方向へ流れるイルミネーションが、イルミネーション部４０により表示される。
【００８９】
図１１（ａ）、（ｂ）は、携帯電話機１が東から３０度北へ傾いた方向を向いている場合における、イルミネーション表示について説明する図である。
【００９０】
たとえば図１１（ａ）に示す如く、現在の方位が図１０（ｂ）の０度（北）から６０度（東から３０度北へ傾いた方向）へ変化した場合、次の案内地点５５での相対的な進行方向は０（＝６０−６０）度である。このため、案内方向は「上」であると設定される（Ｓ１１７）。案内方向が「右」から「上」へ変化したため（Ｓ１１８：ＹＥＳ）、ＣＰＵ１００は、光が上へ流れるイルミネーションパターン２を取得し（Ｓ１１３）、これに基づくイルミネーションをイルミネーション部４０に表示させる。
【００９１】
このように、現在の方位（携帯電話機の向き）が変化したとしても、イルミネーション部４０が表示するイルミネーションは、目的地への経路が、光が変化する方向（上）へ変更されていることを、ユーザへ通知する。
【００９２】
ところで、図１１（ａ）では、地図画像５１における北を指す方向が、携帯電話機１の上を向くよう、地図画像５１が表示面２１ｂに表示される構成が採られている。しかし、携帯電話機１は、図１１（ｂ）に示す如く、携帯電話機１が向く方向（Ｙ軸方向）が、地図画像５１が上を向く方向と一致するような構成が採られてもよい。この場合、案内方向は「上」であると設定される。すなわち、イルミネーション部４０により表示されるイルミネーションにおいて光が流れる方向は、表示面２１ｂに表示される地図画像５１の向きによらない。
【００９３】
本実施の形態によれば、現在位置が次の案内地点へ接近した場合、イルミネーション部
４０が、光が案内方向へ流れるようなイルミネーションを表示する。イルミネーションの明るい部分と暗い部分が案内方向へ移動することによって光が流れる。ユーザは、イルミネーションパターンに基づいて光が流れる方向が、進路変更後の進行方向であると認識できる。
【００９４】
つまり、ユーザは、イルミネーションを視認することにより、経路の案内方向を容易に認識できる。
【００９５】
また、イルミネーションは、現在位置が所定の案内地点に接近した場合にのみ表示され、すなわち、経路の案内の必要があるときを除いて表示されない構成がとられている。よって、経路の案内が常時行われる場合に比較して、消費電力を抑制できる。
【００９６】
さらに、案内方向は、携帯電話機１が向く方向を基準にした、案内地点における相対的な進行方向に基づいて、実際に進路変更をするべき方向を指すよう設定される。すなわち、ユーザは、光が流れる方向へ進路を変更することで、経路に沿って進行できる。
【００９７】
なお、表示面２１ｂには地図画像５１が表示されているため、ユーザは、地図画像５１を見ることによって、適宜、より詳細な案内方向、次の案内地点５５や目的地への距離等、経路の周辺の詳細な情報を認識できる。
【００９８】
＜変更例１＞
本変更例では、地図画像５１ではなく、別のアプリケーションの実行に基づく実行画面が表示面２１ｂに表示される場合においても、イルミネーション部４０が、光が案内方向へ流れるイルミネーションを表示する。
【００９９】
図１２は、本変更例に係る処理を説明するフローチャートである。図１２のフローチャートは、図８のフローチャートのステップＳ１０２とＳ１０７の前段に、ステップＳ１２１とＳ１２２の処理が追加されたものである。なお、図１２のステップＳ１０５において実行開始される方向通知処理は、図９の方向通知処理に同じである。
【０１００】
本変更例において、携帯電話機１は、経路の案内のための機能の実行中、さらに別のアプリケーションを、ユーザによる当該アプリケーションに係る入力操作を受け付け可能な状態で実行する、マルチタスク機能を有する。
【０１０１】
図１３（ａ）、（ｂ）は、経路の案内のための機能の実行中における、テレビ閲覧のためのアプリケーションが起動される前と起動された後の、画面の表示例を示す図である。
【０１０２】
なお、図１３（ａ）、（ｂ）において、携帯電話機１は、横向き、すなわちＸ軸方向が上方を向き、且つ、Ｙ軸方向が水平方向を向くように手に持たれている。この場合、携帯電話機１が向く方向は、携帯電話機１のＸ軸方向とされる。
【０１０３】
特に、携帯電話機１が横向きの状態において、イルミネーションパターン１〜４に従って表示されるイルミネーションにより光が流れる方向は、それぞれ、携帯電話機１の上、左、下、右である。
【０１０４】
携帯電話機１が、図１０（ａ）のように縦向きの状態から、図１３（ａ）のように横向きの状態になるよう持ちかえられると、図１３（ａ）に示す如く、地図画像５１における北の方向が携帯電話機１の上（Ｘ軸方向）を向くよう、地図画像５１が表示される。
【０１０５】
ここで、ＣＰＵ１００は、所定の操作に基づき、テレビ閲覧、電子メール、ウェブブラ
ウザ、通話等、を経路の案内の機能に並列して実行できる。たとえば、キー操作部１１のテレビ閲覧のための所定のキー（たとえば、キートップに「ＴＶ」と印字されたキー）の押下に基づき、ＣＰＵ１００は、テレビ閲覧のためのアプリケーションを実行し、図１３（ｂ）に示す如く、経路の案内にかかる画像に代えて、テレビ画面６１を表示面２１ｂに表示させる。
【０１０６】
図１２を参照して、ステップＳ１２１において、ＣＰＵ１００は、別のアプリケーションに基づく画面が表示面２１ｂに表示されているか否かを判定する。ステップＳ１２２の処理は、ステップＳ１２１の処理に同じである。
【０１０７】
図１３（ａ）のように、別のアプリケーションに基づく画面が表示面２１ｂに表示されていない場合、ステップＳ１２１とステップＳ１２２においてＮＯと判定され、それぞれ後段のステップ（Ｓ１０２、Ｓ１０７）の処理が実行される。すなわち、この場合においては、上記実施の形態と同様に、表示面２１ｂにおいて地図画像５１、経路画像５２およびポインタ５３が更新表示されつつ、並行して方向通知処理（図９）が実行される。
【０１０８】
図１４（ａ）は、テレビ画面６１が表示面２１ｂに表示された状態で現在位置が次の案内地点５５へ接近した場合の、イルミネーション部４０によるイルミネーションを説明する図である。図１４（ｂ）は、現在位置が次の案内地点へ接近している様子を模式的に説明する図である。
【０１０９】
図１４（ａ）に示されるようにテレビ画面６１が表示面２１ｂに表示されているときに、たとえば図１４（ｂ）に例示する如く、現在位置が次の案内地点５５へ接近した場合（Ｓ１０３：ＹＥＳ）、方向通知処理が開始される（Ｓ１０５）。この場合、方向通知処理（図９）は、上記実施の形態と同様に実行される。ＣＰＵ１００は、図９の処理に基づき、案内方向を「右」と決定し（Ｓ１１２、Ｓ１１７）、図１４（ａ）に示す如く、イルミネーションパターン４に基づく右へ流れるイルミネーションが表示される（Ｓ１１２、Ｓ１１３）。このように、表示面２１ｂに別のアプリケーションに基づく実行画面が表示され、地図画像５１が表示されていない場合においても、イルミネーション部４０によりイルミネーションが表示され、目的地への経路が、光が流れる方向（右）へ変更されていることが、ユーザへ通知される。
【０１１０】
かかる後、次の案内地点を通過する前に、図１４（ｃ）に示す如く、Ｘ軸方向が東から３０度北へ傾いた方向を向くように、携帯電話機１が手に持たれた場合、検出される現在の方向は、６０度となる（Ｓ１１１、Ｓ１１５）。次の案内地点の進行方向は、同じく６０度であるため、案内方向は、０度と設定される（Ｓ１１７）。すなわち、この場合、イルミネーションパターン１に基づく上へ流れるイルミネーションがイルミネーション部４０により表示される（Ｓ１１２、Ｓ１１３）。これにより、目的地への経路が、光が流れる方向（上）へ折れていることが、ユーザへ通知される。
【０１１１】
以上、本変更例の構成によれば、ユーザにより所定の操作がなされると、別のアプリケーションの実行に基づく実行画面が表示面２１ｂに表示される。このときにおいても、案内方向を通知するためのイルミネーションが、イルミネーション部４０により表示される。よって、ユーザは、地図画像５１が表示されてなくても、進行方向を把握することができる。
【０１１２】
＜変更例２＞
本変更例では、携帯電話機１に対する入力操作が所定時間（数秒〜数分）の間になされない場合、パネルバックライト２１ｃが消灯（ＯＦＦ）される構成が採られている。そして、ディスプレイ２１のパネルバックライト２１ｃが消灯される場合においても、イルミ
ネーション部４０のイルミネーションにより経路の案内がなされる。
【０１１３】
図１５は、本変更例に係る処理を説明するフローチャートである。図１５のフローチャートは、図１２のフローチャートのステップＳ１２１とＳ１２２の処理が、ステップＳ１３１、Ｓ１３２の処理に置き換えられている。なお、図１５のステップＳ１０５において実行が開始される方向通知処理は、図９の処理と同じである。
【０１１４】
ＣＰＵ１００は、ステップＳ１３１において、パネルバックライト２１ｃが点灯している場合（Ｓ１３１：ＹＥＳ）、後段のステップＳ１０２の処理を実行する。一方、ＣＰＵ１００は、パネルバックライト２１ｃが消灯している場合（Ｓ１３１：ＮＯ）、ステップＳ１０２の処理を実行せずステップＳ１０３の処理へ進む。
【０１１５】
ステップＳ１３２の処理における判定条件はステップＳ１３１と同様である。ＣＰＵ１００は、パネルバックライト２１ｃが点灯している場合（Ｓ１３２：ＹＥＳ）、後段のステップＳ１０７の処理を実行し、パネルバックライト２１ｃが消灯している場合（Ｓ１３２：ＮＯ）、後段のステップＳ１０７の処理の処理を実行せずステップＳ１０８の処理へ進む。
【０１１６】
図１６（ａ）のように、パネルバックライト２１ｃが点灯している場合、ステップＳ１３１とステップＳ１３２においてＮＯと判定され、それぞれ後段のステップ（Ｓ１０２、Ｓ１０７）の処理が実行される。すなわち、この場合においては、上記実施の形態と同様に、方向通知処理（図９）が実行される。
【０１１７】
たとえば、図１３（ａ）に示す如く、地図画像５１が表示され、且つ、現在位置が次の案内地点５５へ接近していない場合、ステップＳ１３１においてＹＥＳと判定され、上記実施の形態で説明された通り、地図画像５１、経路画像５２およびポインタ５３が表示面２１ｂに表示される。
【０１１８】
この後、パネルバックライト２１ｃが消灯した場合、地図画像５１、経路画像５２およびポインタ５３は表示面２１ｂに表示されず（Ｓ１３１：ＮＯ）、パネルバックライト２１ｃが消灯した状態が保たれる。
【０１１９】
ここで、現在位置が次の案内地点５５へ接近した場合（Ｓ１０３：ＹＥＳ）、方向通知処理の実行が開始される（Ｓ１０５）。パネルバックライト２１ｃが消灯している場合（Ｓ１３２：ＮＯ）、パネルバックライト２１ｃが消灯した状態が保たれる。このときにおいても、図１６（ｂ）に示す如く、方向通知処理（図９）の実行によりイルミネーション部４０は、案内方向へ光が流れるイルミネーションを表示する。
【０１２０】
図１６（ｂ）において、携帯電話機１は北を向き、且つ、次の案内地点５５の進行方向は東から３０度北へ傾いた方向であるため、イルミネーションパターン４に従って、光が右（案内方向）へ流れるイルミネーションが表示される。
【０１２１】
また、図１６（ｃ）に示す如く、携帯電話機１が東から３０度北へ傾いた方向を向くよう持たれた場合には、案内方向は上であると設定され、イルミネーションパターン１に従って、光が上へ流れるイルミネーションが表示される。
【０１２２】
以上、本変更例の構成によれば、表示面２１ｂの表示される画面が視認不可能である状態、すなわちパネルバックライト２１ｃが消灯した状態においても、案内方向を通知するためのイルミネーションが、イルミネーション部４０により表示される。よって、ユーザは、地図画像５１が表示されてなくても、進行方向を把握することができる。
【０１２３】
＜変更例３＞
図１７および図１８（ａ）は、本変更例に係る処理を説明するフローチャートである。図１７のフローチャートでは、図８のフローチャートのステップＳ１０３とＳ１０４の間にステップＳ１４１の処理が追加され、ステップＳ１４１から分岐する処理のフローとして、ステップＳ１４２〜Ｓ１４６の処理が追加されている。図１８（ａ）には、ステップＳ１１４の処理の代わりに、ステップＳ１５１〜Ｓ１５３の処理が追加されている。
【０１２４】
ステップＳ１４１において、ＣＰＵ１００は、図１７の処理が開始されてから、または、本ステップＳ１４１の処理が前回実行されてから、所定時間Ｔ５（たとえば数秒〜数十秒）経過したか否かを判定する。所定時間Ｔ５経過していない場合（Ｓ１４１：ＮＯ）、ステップＳ１０４の処理へ進む。
【０１２５】
所定時間Ｔ５経過していた場合（Ｓ１４１：ＹＥＳ）、ＣＰＵ１００は、現在位置と目的地との間の、経路に沿った距離（道のり）に応じて、イルミネーションの再生速度すなわち各光源４０ａ〜４０ｎの光の明るさを変化させる速さを設定する（Ｓ１４２）。
【０１２６】
図１８（ｂ）は、上記距離と、これに応じて設定される上記再生速度との関係を模式的に示すグラフである。ＣＰＵ１００は、図１８（ｂ）のグラフに示されているように、現在位置が目的地に近づくに従い、再生速度を、通常の速度（１倍速＝周期Ｔ０）から徐々に増加させる。
【０１２７】
ステップＳ１４３〜Ｓ１４５の処理は、ステップＳ１１１〜Ｓ１１３の処理に同じである。
【０１２８】
ステップＳ１４６において、ＣＰＵ１００は、決定された案内方向に対応して取得されたイルミネーションパターンに従い、ステップＳ１４２において設定された再生速度で、イルミネーションを所定時間（たとえば数秒程度）だけイルミネーション部４０に表示させる。
【０１２９】
図１９（ａ）、（ｂ）は、本変更例に係るイルミネーションを説明する図である。
【０１３０】
現在位置が案内地点５５へ接近する前にステップＳ１４１においてＹＥＳと判定された場合（Ｓ１４１：ＹＥＳ）、図１９（ａ）に示す如く、イルミネーション部４０は、イルミネーションを表示する。ここで、携帯電話機１は北を向くよう持たれており、且つ、現在の進行方向は北である。したがって、案内方向は「上」であると決定され、光が上へ流れるイルミネーションがイルミネーション部４０により表示される。この際、イルミネーションの再生速度は、目的地への距離に応じた速さ（図１８（ｂ）のグラフ参照）に設定されている。
【０１３１】
この後、現在位置が案内地点５５へ接近する前に、再び、ステップＳ１４１においてＹＥＳと判定された場合（Ｓ１４１：ＹＥＳ）、図１９（ｂ）に示す如く、イルミネーション部４０は、イルミネーションを表示する。今回、携帯電話機１は６０度（東から３０度北へ傾いた方向）を向くよう持たれており、且つ、現在の進行方向は北である。したがって、案内方向は「左」であると決定され、光が左へ流れるイルミネーションがイルミネーション部４０により表示される。この際も、イルミネーションの再生速度は、目的地への距離に応じた速さ（図１８（ｂ））に設定されている。
【０１３２】
かかる後、現在位置が次の案内地点５５へ接近した場合（Ｓ１０３：ＹＥＳ）、図１８の方向通知処理が実行開始される。
【０１３３】
ステップＳ１５１において、ＣＰＵ１００は、現在位置を検出する。ステップＳ１５２の処理は、ステップＳ１４２の処理に同じである。
【０１３４】
ステップＳ１５３において、ＣＰＵ１００は、決定された案内方向に対応して取得したイルミネーションパターンに従って、さらに設定された再生速度でイルミネーションが表示されるよう制御を行う（Ｓ１１４）。
【０１３５】
以上、本変更例の構成によれば、現在位置から目的地への、経路に沿った距離に応じて、イルミネーションの再生速度が変化する。現在位置が目的地へ近付くにつれ、再生速度が速まる。よって、ユーザは、イルミネーションによって、目的地までのおよその距離を知ることができる。
【０１３６】
また、本変更例の構成によれば、一定の間隔で、現在位置における経路の進行方向へ光が流れるイルミネーションがイルミネーション部４０により表示される。したがって、進路変更の必要がないときにおいて、ユーザは、経路上を進行していることを確認できる。
【０１３７】
＜その他＞
以上、本発明の実施の形態について説明したが、本発明は、上記実施の形態によって何ら制限されるものではなく、また、本発明の実施の形態も、上記以外に種々の変更が可能である。
【０１３８】
上記実施の形態において、変更例１〜３が互いに組み合わされた構成が採られることが可能である。
【０１３９】
上記実施の形態では、イルミネーション部４０の光源４０ａ〜４０ｎは、図２に示す如く分散して第１キャビネット１０に配されたが、光源の配置状態は、適宜変更できる。たとえば、光源の数と配される位置は、適宜変更可能である。
【０１４０】
上記実施の形態では、案内方向の通知の際、各光源４０ａ〜４０ｎは、明るさが正弦波状に変化するが（図５、図６参照）。しかしながら、各光源４０ａ〜４０ｎが発する光は、正弦波状に変化する必要はなく、案内方向を指し示す視覚的効果が伴えば多様に変化してもよい。また、各光源４０ａ〜４０ｎは、同じ周期で明暗が変化（図５、図６参照）する構成である必要はなく、たとえば、光源４０ａ〜４０ｎは、互いに独立した周期で明暗が変化する構成が採られても良い。また、ランダムに明るさが変動する効果が加えられる等、光源４０ａ〜４０ｂの発光パターンは周期が定められたものである必要もない。イルミネーション部４０により表示されるイルミネーションは、全体として案内方向を指し示す視覚的効果が伴うものであればよい。
【０１４１】
また、光源４０ａ〜４０ｎは、キー操作部１１の各キーが配されていないプレート部１２の背後に配されているが、各キーの背後に配される等、別の位置に配されてもよい。イルミネーション部４０の光源がキーの背後に配される場合、当該光源から発せられる光は、キーのキートップを透過して視認可能な構成がとられる。
【０１４２】
上記実施の形態では、明るさの変化によって、イルミネーション部４０が表示したイルミネーションが、案内方向を視覚的に通知する。しかしながら、案内方向の通知は、イルミネーションにより、その案内方向を指し示す視覚的効果が伴うようなされればよい。
【０１４３】
たとえば、ＣＰＵ１００は、イルミネーションの、特定の色が表示される部分、特定の周期で点滅する部分等が、全体として案内方向へ移動するよう、イルミネーション部４０
を制御できる。これによって、全体として案内方向を指し示す視覚的効果が伴うイルミネーションが表示される。
【０１４４】
上記実施の形態では、携帯電話機１はハードキーで構成されたキー操作部１１を備える（図１参照）が、図２０（ａ）に示す如く、筐体の正面にハードキーが配されていない（または配されているハードキーの数が少ない）ストレート型の携帯電話機（スマートフォン）１に対しても、本発明を適用できる。ここで、図２０（ａ）の携帯電話機１は平坦な長方形の形状を有し、その周囲に複数の光源を含むイルミネーション部４０を備える。
【０１４５】
たとえば、図２０（ｂ）に示す如く、案内方向が右方向である場合には、イルミネーション部４０が、携帯電話機１の左側から右側へ、明るい光が携帯電話機１の上側と下側を回り込むように流れるように、イルミネーションを表示する。これによって、案内方向（右）が通知される。
【０１４６】
上記実施の形態では、イルミネーション部４０は、ディスプレイ２１とは別に配されたが、ディスプレイ２１がイルミネーション部４０を兼ねる構成が採られ得る。この場合、表示面２１ｂの所定の領域が光源となる。たとえば、図２０（ｃ）に示す如く、案内方向が右方向である場合には、表示面２１ｂに表示される画像に重ねて、光が筐体の外周に沿って流れるように、イルミネーションが表示される。これによって、案内方向（右）が通知される。
【０１４７】
また、ディスプレイ２１がイルミネーション部４０を兼ねる構成が採られる場合、表示面２１ｂの周囲の領域だけでなく、たとえば図２１（ａ）に示す如く、表示面２１ｂ全体の領域を用いて案内方向が通知可能である。図２１（ａ）では、表示面２１ｂに表示されている画面に、案内方向（右）と直交する方向（上下方向）に延びる領域上において、明度を修正する画像処理が施され、この画像処理が施される領域が案内方向へ移動する。
【０１４８】
上記実施の形態では、上、下、右、左の何れかの方向に光が流れるイルミネーションがイルミネーション部４０により表示されるが、光が流れる方向は、上記４方向に限らず、８方向、１２方向、１６方向等、指し示す方向が細分化される構成が採られてよい。また、イルミネーションが任意の方向を指し示すよう、すなわち、図２１（ｂ）の如く、経路の進行方向がそのまま案内方向と同一視される構成が採られてもよい。図２１（ｂ）では、経路の進行方向である６０度の方向（東から北へ３０度傾いた方向）へ流れるイルミネーションが表示されている。
【０１４９】
上記実施の形態では、イルミネーション部４０が、３原色（赤、緑、青）が合成された各種の色の光を発する光源４０ａ〜４０ｎを備えているが、単色の光を発する光源を備えたイルミネーション部４０が用いられる構成が採られることも可能である。
【０１５０】
上記実施の形態では、経路上の案内地点は、進路変更の必要がある地点とされたが、進路変更の必要が無くとも、直線するべき交差点が存在する地点、曲率が大きい（曲率半径が小さい）地点も含めて案内地点とするなど、適宜案内地点が設定されてよい。
【０１５１】
上記実施の形態では、次の案内地点に接近した場合に案内地点の進行方向が通知される。しかしながら、常時、現在位置より所定距離（数メートル〜数十メートル）先の進行方向が、イルミネーション部４０より通知される構成が採られてもよい。
【０１５２】
また、変更例３では、所定時間Ｔ５毎に現在位置における進行方向に光が流れるイルミネーションがイルミネーション部４０により表示されたが、所定の案内地点に接近した場合を除いて常時、現在位置における進行方向に光が流れるイルミネーションがイルミネー
ション部４０により表示される構成が採られ得る。
【０１５３】
上記実施の形態では、現在位置が次の案内地点に接近したか否かが、現在位置と次の案内地点の位置との距離に基づいて判定されたが、現在位置の移動速度に基づき、現在位置が次の案内地点へ到達するまでの時間の予測値に基づいて判定される構成が採られてもよい。
【０１５４】
また、ユーザが進行すべき経路を誤ってはずれた場合に、経路へ戻るための方向を案内するイルミネーションが表示される構成が採られ得る。経路へ戻るための方向は、たとえば、経路をはずれた際の進路を戻る方向である。この場合、さらに、経路をはずれたことをユーザへ通知するため、所定色（たとえば赤）で点滅（図４のイルミネーションパターン５参照）するイルミネーションが適宜表示されてもよい。
【０１５５】
上記実施の形態では、地図画像５１のデータや現在地から目的地への経路に係るデータがサーバシステムから取得される構成がとられているが、地図画像は、あらかじめメモリ１０１に記憶されていてもよく、また、ＣＰＵ１００が経路に係るデータを探索のための処理を実行することにより生成されてもよい。
【０１５６】
また、案内地点、案内地点への接近や案内地点通過に関する判定、案内方向の設定およびイルミネーションパターンに係るデータの、一部または全てが、データ通信によってサーバシステム等から取得される構成が採られてもよい。
【０１５７】
上記実施の形態では、折り畳み式やストレート型の携帯電話機１を用いたが、スライド式などの携帯電話機１を用いることもできる。また、携帯電話機１に代えてＰＤＡ、タブレットＰＣ、電子書籍端末などの携帯端末装置にも適用可能である。
【０１５８】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１５９】
１  携帯電話機  （携帯端末装置）
２１ｂ  表示面
４０  イルミネーション部
４０ａ〜４０ｎ  光源  （発光部）
５１  地図画像
１００  ＣＰＵ  （照明制御部、表示制御部、受付部、設定部）
１０９  ＧＰＳモジュール  （位置検出部）
１１０  方位センサ  （方位検出部）
【図１】
2013040812.tif 000003
【図２】
2013040812.tif 000004
【図３】
2013040812.tif 000005
【図４】
2013040812.tif 000006
【図５】
2013040812.tif 000007
【図６】
2013040812.tif 000008
【図７】
2013040812.tif 000009
【図８】
2013040812.tif 000010
【図９】
2013040812.tif 000011
【図１０】
2013040812.tif 000012
【図１１】
2013040812.tif 000013
【図１２】
2013040812.tif 000014
【図１３】
2013040812.tif 000015
【図１４】
2013040812.tif 000016
【図１５】
2013040812.tif 000017
【図１６】
2013040812.tif 000018
【図１７】
2013040812.tif 000019
【図１８】
2013040812.tif 000020
【図１９】
2013040812.tif 000021
【図２０】
2013040812.tif 000022
【図２１】
2013040812.tif 000023